(57)【要約】【課題】印刷品質を維持しつつ、廃棄はんだ量を最小限に抑えた情報処理装置及びクリームはんだの管理供給方法を提供する。【解決手段】クリームはんだの識別情報と当該クリームはんだの使用履歴情報とを取得するクリームはんだ情報取得部２２２と、クリームはんだの使用履歴情報とクリームはんだの区分とが対応付けられた区分テーブル２１２Ｔに基づいて、クリームはんだ情報取得部２２２によって取得した識別情報に対応するクリームはんだの区分を決定する区分決定部２２４と、クリームはんだが印刷される基板について、基板の印刷難易度を取得する印刷難易度取得部２２６と、印刷難易度取得部２２６によって取得した基板の印刷難易度に応じて、クリームはんだ印刷機に供給するクリームはんだの区分を選択する区分選択部２２７とを備える。【選択図】図３
2011151078.tif 000002
【特許請求の範囲】
【請求項１】
クリームはんだ印刷機に供給するクリームはんだの区分を選択する情報処理装置であって、
クリームはんだの識別情報と当該クリームはんだの使用履歴情報とを取得するクリームはんだ情報取得部と、
クリームはんだの使用履歴情報とクリームはんだの区分とが対応付けられた区分テーブルに基づいて、前記クリームはんだ情報取得部によって取得された前記識別情報に対応するクリームはんだの区分を決定する区分決定部と、
クリームはんだが印刷される基板について、基板の印刷難易度を取得する印刷難易度取得部と、
前記印刷難易度取得部によって取得した前記基板の印刷難易度に応じて、前記クリームはんだ印刷機に供給するクリームはんだの区分を選択する区分選択部と
を備える情報処理装置。
【請求項２】
さらに、
クリームはんだが印刷される基板に実装される実装部品に関する情報と基板の印刷難易度とが対応付けられた印刷難易度テーブルに基づいて、前記クリームはんだが印刷される基板について、当該基板に実装される実装部品に関する情報に対応する前記基板の印刷難易度を決定する印刷難易度決定部を備え、
前記印刷難易度取得部は、前記印刷難易度決定部から前記基板の印刷難易度を取得する
請求項１に記載の情報処理装置。
【請求項３】
さらに、前記クリームはんだが印刷される基板について、当該基板に実装される実装部品に関する情報を取得する部品情報取得部を備え、
前記印刷難易度決定部は、前記クリームはんだが印刷される基板について、前記部品情報取得部によって取得した前記実装部品に関する情報に対応する前記基板の印刷難易度を決定する
請求項２に記載の情報処理装置。
【請求項４】
前記使用履歴情報は、時間情報を含み、
当該時間情報が、クリームはんだが保冷庫から出庫されている間の時間である出庫時間である
請求項２又は請求項３に記載の情報処理装置。
【請求項５】
前記出庫時間が、前記クリームはんだ印刷機に使用されている時間である使用時間と、前記クリームはんだ印刷機に使用されていない時間である非使用時間に所定の係数を掛けて算出した準使用時間との和である
請求項４に記載の情報処理装置。
【請求項６】
前記区分テーブルにおけるクリームはんだの区分は、前記出庫時間が相対的に短い場合の第１区分と前記出庫時間が相対的に長い場合の第２区分とを含み、
前記印刷難易度テーブルにおける基板の印刷難易度は、印刷が相対的に難しい場合の第１印刷難易度と印刷が相対的に易しい場合の第２印刷難易度とを含み、
前記印刷難易度決定部が、前記基板の印刷難易度として前記第２印刷難易度を決定した場合、前記区分選択部は、前記第２区分を選択する
請求項４又は請求項５に記載の情報処理装置。
【請求項７】
前記印刷難易度テーブルにおける前記実装部品に関する情報が、前記実装部品に対応するマスクのマスク識別ＩＤであり、
前記クリームはんだが印刷される基板の当該基板の印刷難易度は、前記マスク識別ＩＤに対応して決定される
請求項２〜６のいずれか１項に記載の情報処理装置。
【請求項８】
前記マスクの厚さをＺとし、前記基板の搬送方向における前記マスクの開口幅をＸとしたときに、
前記基板の印刷難易度は、前記Ｘに対する前記Ｚの比に基づいて区分される
請求項７に記載の情報処理装置。
【請求項９】
クリームはんだ印刷機に供給するクリームはんだの区分を選択するクリームはんだの管理供給方法であって、
クリームはんだの識別情報と当該クリームはんだの使用履歴情報とを取得するクリームはんだ情報取得ステップと、
クリームはんだの使用履歴情報とクリームはんだの区分とが対応付けられた区分テーブルに基づいて、取得した前記識別情報に対応するクリームはんだの区分を決定する区分決定ステップと、
クリームはんだが印刷される基板に実装される実装部品に関する情報と基板の印刷難易度とが対応付けられた印刷難易度テーブルに基づいて、クリームはんだが印刷される基板について、当該基板に実装される実装部品に関する情報に対応する前記基板の印刷難易度を決定する印刷難易度決定ステップと、
決定された前記基板の印刷難易度に応じて、前記クリームはんだ印刷機に供給するクリームはんだの区分を選択する区分選択ステップと
を含むクリームはんだの管理供給方法。
【請求項１０】
クリームはんだ印刷機に供給するクリームはんだの区分を選択するためのプログラムであって、
クリームはんだの識別情報と当該クリームはんだの使用履歴情報とを取得するクリームはんだ情報取得ステップと、
クリームはんだの使用履歴情報とクリームはんだの区分とが対応付けられた区分テーブルに基づいて、取得した前記識別情報に対応するクリームはんだの区分を決定する区分決定ステップと、
クリームはんだが印刷される基板に実装される実装部品に関する情報と基板の印刷難易度とが対応付けられた印刷難易度テーブルに基づいて、クリームはんだが印刷される基板について、当該基板に実装される実装部品に関する情報に対応する前記基板の印刷難易度を決定する印刷難易度決定ステップと、
決定された前記基板の印刷難易度に応じて、前記クリームはんだ印刷機に供給するクリームはんだの区分を選択する区分選択ステップと
をコンピュータによって実行させるためのプログラム。
【発明の詳細な説明】
【技術分野】
【０００１】
本発明は、クリームはんだの管理とクリームはんだ印刷機への適切なクリームはんだの供給とを行うための情報処理装置及びクリームはんだの管理供給方法等に関する。
【背景技術】
【０００２】
従来から、電子部品が実装される基板にクリームはんだを印刷するクリームはんだ印刷機が知られている。図１１に示すように、クリームはんだ印刷機は、基板（不図示）をスクリーンマスク１に近接させ、スクリーンマスク１上からクリームはんだ２を攪拌しながら塗布して、スクリーンマスク１上でゴム製のスキージ３を矢印で示す印刷方向にスライド駆動させることにより、スクリーンマスク１の開口４を通して基板上の所定の位置にクリームはんだ２を印刷するものである。
【０００３】
クリームはんだの印刷工程について図１２を用いて詳述する。図１２Ａ〜図１２Ｃは、クリームはんだの印刷工程を示す部分拡大断面図である。また、図１２Ｄは、クリームはんだが基板に印刷されたときの状態を示す部分拡大斜視図である。
【０００４】
まず、図１２Ａに示すように、開口４を有するスクリーンマスク１に、電極（パッド）５が形成された基板６を近接させて、スクリーンマスク１の上にクリームはんだ２を塗布する。次に、図１２Ｂに示すように、スキージ３を矢印で示す方向にスライド駆動させて、スクリーンマスク１の開口４内にクリームはんだ２を充填する。そして、図１２Ｃに示すように、スキージ３をさらにスライド駆動させる。その後、基板６をスクリーンマスク１から離間させることにより、図１２Ｄに示すように、基板６の電極５上にスクリーンマスク１の開口４と同形状のクリームはんだ２の印刷パターン７を印刷することができる。
【０００５】
クリームはんだ印刷機に使用されるクリームはんだは、外径が数十μｍのはんだボールとフラックスとを混合させてクリーム状にしたものであり、一般の印刷ペーストと比べて非常に粘度が高く、かつ揮発成分が多いという特質を有する。フラックスに含まれる揮発成分は、スキージの駆動速度及び駆動時間、さらに環境温度等の影響を受け、これによりクリームはんだの粘度が変化する。このようにクリームはんだの粘度が変化すると、クリームはんだの印刷の均一性が劣化し、印刷不良が発生する。
【０００６】
そこで、均一性の高い安定したクリームはんだの印刷を行うことができるクリームはんだの印刷装置が提案されている（特許文献１参照）。この印刷装置は、粘度センサーを備えており、粘度センサーによって印刷中のクリームはんだの粘度を検出し、クリームはんだの粘度に対応した適切なスキージの駆動速度を制御するものである。
【先行技術文献】
【特許文献】
【０００７】
【特許文献１】特開平２−５４９８８号公報
【発明の概要】
【発明が解決しようとする課題】
【０００８】
しかしながら、上記従来の印刷装置のように、クリームはんだの印刷中の粘度を管理するだけでは、クリームはんだの印刷品質を維持することは難しい。これは、粘度以外の要因がクリームはんだの印刷品質に影響を与えていると考えられる。本願の発明者らは、クリームはんだ中のフラックスの酸化がその要因の一つであるという知見を得た。
【０００９】
クリームはんだにおけるフラックスの酸化は、印刷時間又は常温戻し時間等、クリームはんだが保冷庫から出庫されている時間の経過に従って進行すると考えられる。このようにフラックスの酸化が進行したクリームはんだを用いて印刷すると、その後部品を基板に実装し加熱してクリームはんだを溶かす際、クリームはんだのフラックス活性が十分に機能しないために、クリームはんだが所望に溶けずに十分な広がりを得ることができないという問題が生じる。この問題は、クリームはんだの印刷パターンが微細になればなるほど顕著になる。
【００１０】
また、従来から、所定の印刷後にクリームはんだ印刷機に残ったクリームはんだは回収して再利用されるが、古くなったクリームはんだを使用して印刷すると、印刷不良が発生する場合がある。特に、微細な印刷パターンの印刷を行う場合は、印刷不良が発生しやすくなる。例えば、古くなったクリームはんだを用いて印刷すると、図１３Ａ〜図１３Ｃに示すように、スクリーンマスク１の開口４内にクリームはんだ２が十分に充填されず、図１３Ｄに示すように、所望の印刷パターンを得ることができずに、印刷不良となる印刷パターン７’が発生する。このため、印刷不良の発生を抑えるために、従来は、印刷時間も含めて常温状態で２４時間経過したクリームはんだについては廃棄することにしていた。従って、このような従来のクリームはんだの管理方法では、クリームはんだの廃棄量が多いという問題もある。
【００１１】
また、通常、印刷の繰り返しによってクリームはんだ印刷機のクリームはんだの量が減少すると、クリームはんだ印刷機には次の新しいクリームはんだが補給される。この場合、クリームはんだ印刷機に供給中の古いクリームはんだに新品のクリームはんだを追加することになり、新旧のクリームはんだが混合して入り乱れる状態となる。この結果、回収した後のクリームはんだは、利用可能時間が一様に短くなるという問題がある。
【００１２】
本発明は、上記問題を解決するためになされたものであり、印刷品質を維持しつつ、廃棄はんだ量を最小限に抑えた情報処理装置及びクリームはんだの管理供給方法を提供することを目的とする。
【課題を解決するための手段】
【００１３】
上記問題を解決するために、本発明に係る情報処理装置の一態様は、クリームはんだ印刷機に供給するクリームはんだの区分を選択する情報処理装置であって、クリームはんだの識別情報と当該クリームはんだの使用履歴情報とを取得するクリームはんだ情報取得部と、クリームはんだの使用履歴情報とクリームはんだの区分とが対応付けられた区分テーブルに基づいて、前記クリームはんだ情報取得部によって取得された前記識別情報に対応するクリームはんだの区分を決定する区分決定部と、クリームはんだが印刷される基板について、基板の印刷難易度を取得する印刷難易度取得部と、前記印刷難易度取得部によって取得した前記基板の印刷難易度に応じて、前記クリームはんだ印刷機に供給するクリームはんだの区分を選択する区分選択部とを備えるものである。
【００１４】
この構成により、クリームはんだの使用履歴情報を取得し、使用履歴情報とクリームはんだの区分とが予め対応付けられた区分テーブルに基づいて、取得した使用履歴情報に応じてクリームはんだの区分を予め決定しておくことができる。そして、クリームはんだ印刷機にクリームはんだを供給する際は、基板の印刷難易度に応じてクリームはんだの区分を選択する。これにより、選択された区分に属する区分済みのクリームはんだの中から、クリームはんだ印刷機に供給する最適なクリームはんだを決定することができる。
【００１５】
さらに、本発明に係る情報処理装置の一態様において、クリームはんだが印刷される基板に実装される実装部品に関する情報と基板の印刷難易度とが対応付けられた印刷難易度テーブルに基づいて、前記クリームはんだが印刷される基板について、当該基板に実装される実装部品に関する情報に対応する前記基板の印刷難易度を決定する印刷難易度決定部を備え、前記印刷難易度取得部は、前記印刷難易度決定部から前記基板の印刷難易度を取得することが好ましい。
【００１６】
これにより、実装部品に関する情報と基板の印刷難易度とが予め対応付けられた印刷難易度テーブルに基づいて、クリームはんだが印刷される基板について、基板の印刷難易度を決定することができる。
【００１７】
さらに、本発明に係る情報処理装置の一態様において、前記クリームはんだが印刷される基板について、当該基板に実装される実装部品に関する情報を取得する部品情報取得部を備え、前記印刷難易度決定部は、前記クリームはんだが印刷される基板について、前記部品情報取得部によって取得した前記実装部品に関する情報に対応する前記基板の印刷難易度を決定することが好ましい。
【００１８】
これにより、部品情報取得部によって実装部品に関する情報を取得することができるので、基板の印刷難易度を実装部品に応じて決定することができる。
【００１９】
さらに、本発明に係る情報処理装置の一態様において、前記使用履歴情報は、時間情報を含み、当該時間情報が、クリームはんだが保冷庫から出庫されている間の時間である出庫時間であることが好ましい。
【００２０】
これにより、保冷庫から出庫されている経過時間によって使用済みのクリームはんだの区分を決定することができるので、クリームはんだの劣化に応じた管理をすることができる。従って、所望の基板の印刷品質管理を行うことができる。
【００２１】
さらに、本発明に係る情報処理装置の一態様において、前記出庫時間が、前記クリームはんだ印刷機に使用されている時間である使用時間と、前記クリームはんだ印刷機に使用されていない時間である非使用時間に所定の係数を掛けて算出した準使用時間との和であることが好ましい。
【００２２】
これにより、クリームはんだ印刷機に使用されていない時間までも考慮するので、印刷品質に対してより正確な管理を行うことができる。
【００２３】
さらに、本発明に係る情報処理装置の一態様において、前記区分テーブルにおけるクリームはんだの区分は、前記出庫時間が相対的に短い場合の第１区分と前記出庫時間が相対的に長い場合の第２区分とを含み、前記印刷難易度テーブルにおける基板の印刷難易度は、印刷が相対的に難しい場合の第１印刷難易度と印刷が相対的に易しい場合の第２印刷難易度とを含み、前記印刷難易度決定部が、前記基板の印刷難易度として前記第２印刷難易度を決定した場合、前記区分選択部は、前記第２区分を選択することが好ましい。
【００２４】
これにより、基板の印刷難易度に応じて、古いクリームはんだから順次使いまわすことができる。
【００２５】
さらに、本発明に係る情報処理装置の一態様において、前記印刷難易度テーブルにおける前記実装部品に関する情報が、前記実装部品に対応するマスクのマスク識別ＩＤであり、前記クリームはんだが印刷される基板の当該基板の印刷難易度は、前記マスク識別ＩＤに対応して決定されることが好ましい。
【００２６】
これにより、マスク識別ＩＤによって基板の印刷難易度を決定することができるので、容易に基板の印刷難易度を決定することができる。
【００２７】
さらに、本発明に係る情報処理装置の一態様において、前記マスクの厚さをＺとし、前記基板の搬送方向における前記マスクの開口幅をＸとしたときに、前記基板の印刷難易度は、前記Ｘに対する前記Ｚの比に基づいて区分されることが好ましい。
【００２８】
これにより、マスク開口のアスペクト比に基づいて基板の印刷難易度を決定することができる。
【００２９】
また、本発明に係るクリームはんだの管理供給方法の一態様は、クリームはんだ印刷機に供給するクリームはんだの区分を選択するクリームはんだの管理供給方法であって、クリームはんだの識別情報と当該クリームはんだの使用履歴情報とを取得するクリームはんだ情報取得ステップと、クリームはんだの使用履歴情報とクリームはんだの区分とが対応付けられた区分テーブルに基づいて、取得した前記識別情報に対応するクリームはんだの区分を決定する区分決定ステップと、クリームはんだが印刷される基板に実装される実装部品に関する情報と基板の印刷難易度とが対応付けられた印刷難易度テーブルに基づいて、クリームはんだが印刷される基板について、当該基板に実装される実装部品に関する情報に対応する前記基板の印刷難易度を決定する印刷難易度決定ステップと、決定された前記基板の印刷難易度に応じて、前記クリームはんだ印刷機に供給するクリームはんだの区分を選択する区分選択ステップとを含むものである。
【００３０】
また、本発明に係るプログラムの一態様は、クリームはんだ印刷機に供給するクリームはんだの区分を選択するためのプログラムであって、クリームはんだの識別情報と当該クリームはんだの使用履歴情報とを取得するクリームはんだ情報取得ステップと、クリームはんだの使用履歴情報とクリームはんだの区分とが対応付けられた区分テーブルに基づいて、取得した前記識別情報に対応するクリームはんだの区分を決定する区分決定ステップと、クリームはんだが印刷される基板に実装される実装部品に関する情報と基板の印刷難易度とが対応付けられた印刷難易度テーブルに基づいて、クリームはんだが印刷される基板について、当該基板に実装される実装部品に関する情報に対応する前記基板の印刷難易度を決定する印刷難易度決定ステップと、決定された前記基板の印刷難易度に応じて、前記クリームはんだ印刷機に供給するクリームはんだの区分を選択する区分選択ステップとをコンピュータによって実行させるものである。
【００３１】
これらクリームはんだの管理供給方法及びプログラムの構成により、クリームはんだの使用履歴情報を取得し、使用履歴情報とクリームはんだの区分とが予め対応付けられた区分テーブルに基づいて、取得した使用履歴情報に応じてクリームはんだの区分を予め決定しておくことができる。そして、クリームはんだ印刷機にクリームはんだを供給する際は、基板の印刷難易度に応じてクリームはんだの区分を選択する。これにより、選択された区分に属する区分済みのクリームはんだの中から、クリームはんだ印刷機に供給する最適なクリームはんだを決定することができる。
【発明の効果】
【００３２】
本発明に係る情報処理装置及びクリームはんだの管理供給方法によれば、使用履歴情報に基づいてクリームはんだを管理することにより、クリームはんだ印刷機に供給する際、最適なクリームはんだを供給することができる。従って、印刷品質を維持しつつ、廃棄はんだ量を最小限に抑えることができる。
【図面の簡単な説明】
【００３３】
【図１】図１は、本発明の実施形態に係るクリームはんだの管理供給システムにおけるシステム全体の概略構成を示す図である。
【図２】図２は、本発明の実施形態に係るクリームはんだの管理供給システムにおけるクリームはんだ印刷機の特徴的な構成を示すブロック図である。
【図３】図３は、本発明の実施形態に係るクリームはんだの管理供給システムにおける情報処理装置の特徴的な構成を示すブロック図である。
【図４】図４は、本実施形態に係る情報処理装置のクリームはんだ情報記憶部に記憶されるクリームはんだ情報テーブルの一例を示す図である。
【図５】図５は、本実施形態に係る情報処理装置の区分テーブル記憶部に記憶される区分テーブルの一例を示す図である。
【図６】図６は、本実施形態に係る情報処理装置の印刷難易度テーブル記憶部に記憶される印刷難易度テーブルの一例を示す図である。
【図７】図７は、本実施形態に係るクリームはんだ印刷機に使用されるメタルマスクの開口を示す要部拡大斜視図である。
【図８】本発明の実施形態に係るクリームはんだの管理供給システムにおける供給クリームはんだの選択方法の概略を示す図である。
【図９】図８は、本発明の実施形態に係るクリームはんだの管理供給システムにおける携帯端末装置の特徴的な構成を示すブロック図である。
【図１０】図９は、本発明の実施形態に係るクリームはんだの管理供給システムの処理動作を示すフローチャートである。
【図１１】図１１は、一般的なクリームはんだ印刷機に係るクリームはんだを印刷する状態を示す図である。
【図１２Ａ】図１２Ａは、クリームはんだの印刷工程（クリームはんだの塗布状態）を示す部分拡大断面図である。
【図１２Ｂ】図１２Ｂは、クリームはんだの印刷工程（クリームはんだが充填された状態）を示す部分拡大断面図である。
【図１２Ｃ】図１２Ｃは、クリームはんだの印刷工程（クリームはんだが正しく印刷された状態）を示す部分拡大断面図である。
【図１２Ｄ】図１２Ｄは、クリームはんだが正しく基板に印刷されたときの状態（良品）を示す部分拡大斜視図である。
【図１３Ａ】図１３Ａは、クリームはんだの印刷工程（クリームはんだの塗布状態）を示す部分拡大断面図である。
【図１３Ｂ】図１３Ｂは、クリームはんだの印刷工程（クリームはんだが十分に充填されていない状態）を示す部分拡大断面図である。
【図１３Ｃ】図１３Ｃは、クリームはんだの印刷工程（クリームはんだが正しく印刷されなかった状態）を示す部分拡大断面図である。
【図１３Ｄ】図１３Ｄは、クリームはんだが正しく基板に印刷されなかったときの状態（不良品）を示す部分拡大斜視図である。
【発明を実施するための形態】
【００３４】
以下、本発明の実施形態に係る情報処理装置及びクリームはんだの管理供給方法について、図面を参照しながら説明する。
【００３５】
まず、本発明の実施形態に係るクリームはんだの管理供給システムについて説明する。図１は、本発明の実施形態に係るクリームはんだの管理供給システムにおけるシステム全体の概略構成を示す図である。
【００３６】
図１に示すように、本発明の実施形態に係るクリームはんだの管理供給システムは、使用履歴情報に基づいて個々のクリームはんだを管理し、クリームはんだ印刷機１００に供給する最適なクリームはんだを決定するためのシステムであり、クリームはんだ印刷機１００、情報処理装置２００及び携帯端末装置３００を備える。クリームはんだ印刷機１００、情報処理装置２００及び携帯端末装置３００は、例えば１つの工場内において使用される装置であり、無線又は有線の通信手段によって、お互いに情報（データ）を送受信可能となるように構成されている。
【００３７】
クリームはんだ印刷機１００は、電子部品（以下、「部品」と記載する。）が実装される電子回路基板（以下、「基板」と記載する。）にクリームはんだを印刷し、基板上に所定の印刷パターンを形成するものである。本実施形態に係るクリームはんだ印刷機１００は、後述するように、印刷に使用したクリームはんだの使用履歴情報を記憶する等の機能を有する。クリームはんだ印刷機１００に供給されるクリームはんだは、ペースト状のはんだであり、クリームはんだ容器（ポット）４００に収容されて冷蔵庫等の保冷庫５００に保管されている。本実施形態で用いるクリームはんだは、鉛フリーのクリームはんだであり、外径が数十μｍのはんだボールとフラックスとを混合させてクリーム状にしたものである。
【００３８】
情報処理装置２００は、クリームはんだの使用履歴情報を取得及び記憶等することによりクリームはんだを管理するとともに、クリームはんだ印刷機１００に供給するクリームはんだの区分を選択する等の機能を有する。さらに、本実施形態では、選択されたクリームはんだの区分に属するクリームはんだの中から、クリームはんだ印刷機１００に供給するクリームはんだ（以下、「供給クリームはんだ」と記載する。）を選択する機能を有する。
【００３９】
携帯端末装置３００は、作業者が携帯する端末機器であり、情報処理装置２００によって選択されたクリームはんだの区分を表示したり、保冷庫５００から出庫したクリームはんだの識別情報をクリームはんだ印刷機１００に送信したりする等の機能を有する。
【００４０】
クリームはんだ印刷機１００にクリームはんだを供給する場合、作業者は、情報処理装置２００によって選択されたクリームはんだの区分を携帯端末装置３００から入手して、該当する区分に属するクリームはんだの中から最適なクリームはんだを選択する。そして、そのクリームはんだが収容されたクリームはんだ容器４００を保冷庫から出庫し、常温に戻す。その後、作業者は、常温に戻したクリームはんだをクリームはんだ印刷機１００に投入する。所定の印刷が終了した後、クリームはんだ印刷機１００にクリームはんだが残った場合、作業者は、その残ったクリームはんだを回収し、再びクリームはんだ容器４００に収容し、当該クリームはんだ容器４００を保冷庫５００に入庫する。なお、保冷庫５００には、使用済みのクリームはんだが収容されたクリームはんだ容器だけではなく、未使用である新品のクリームはんだが収容されたクリームはんだ容器も保管されている。また、本実施形態では、各クリームはんだの識別情報として、各クリームはんだ容器４００には容器識別ＩＤ４１０が付与されている。容器識別ＩＤ４１０は、例えば、バーコード、ＩＣタグ又はラベル記入等によって構成することができる。本実施形態では、図１に示すように、バーコードとしている。
【００４１】
次に、本発明の実施形態に係るクリームはんだの管理供給システムにおける、クリームはんだ印刷機１００、情報処理装置２００及び携帯端末装置３００の各装置について、それぞれ図面を用いて詳細に説明する。
【００４２】
まず、本発明の実施形態に係るクリームはんだ印刷機１００について、図２を用いて説明する。図２は、本発明の実施形態に係るクリームはんだの管理供給システムにおけるクリームはんだ印刷機１００の特徴的な構成を示すブロック図である。
【００４３】
図２に示すように、本実施形態に係るクリームはんだ印刷機１００は、印刷部１１０、制御部１２０及び通信部１３０を備える。
【００４４】
印刷部１１０は、基板にクリームはんだを印刷するための既知の構成を備えており、例えば、所定の印刷パターンを形成するための開口を有するメタルマスク、ゴム製のスキージ、基板支持テーブル、メタルマスク支持機構、スキージ駆動機構、及び、基板を供給又は排出するためのコンベヤ等を備える。このように構成された印刷部１１０は、供給搬送された基板をメタルマスクに近接させ、メタルマスク上からクリームはんだを攪拌しながら塗布して、メタルマスク上でスキージをスライド駆動させることにより、メタルマスクの開口を通して基板上の所定の位置にクリームはんだを印刷する。クリームはんだ印刷の一例としては、図１２Ａ〜図１２Ｄで示すような基板を押し上げることによって基板とメタルマスクとを近接させて印刷する方法を用いることができる。あるいは、メタルマスクをスキージによって押し下げることによって基板とメタルマスクとを近接させて印刷する方法を用いることもできる。また、本実施形態において、メタルマスクには、個々のメタルマスクを識別するためのマスク識別ＩＤが付与されている。
【００４５】
制御部１２０は、マスク識別ＩＤ読取部１２１と、選択容器識別ＩＤ取得部１２２と、供給容器識別ＩＤ取得部１２３と、使用履歴情報取得部１２４と、照合部１２５とを備える。制御部１２０の各機能構成は、プロセッサ、又は、ＲＯＭ若しくはＲＡＭ等のメモリ等、既知のハードウェアで構成されている。また、メモリには各処理を実行するための所定のコンピュータプログラムが記憶されており、各機能構成は、マイクロプロセッサがコンピュータプログラムに従って動作することにより、その機能が達成される。
【００４６】
マスク識別ＩＤ読取部１２１は、印刷部１１０に配置されたメタルマスクのマスク識別ＩＤを読み取る機能を有する。読み取ったマスク識別ＩＤは、通信部１３０を介して情報処理装置２００に送信される。
【００４７】
選択容器識別ＩＤ取得部１２２は、情報処理装置２００によって選択された供給クリームはんだについて、当該選択された供給クリームはんだが収容されたクリームはんだ容器の容器識別ＩＤを情報処理装置２００から取得する機能を有する。なお、選択された供給クリームはんだの容器識別ＩＤは、情報処理装置２００から送信され、通信部１３０によって受信される。また、選択容器識別ＩＤ取得部１２２によって取得した容器識別ＩＤは、照合部１２５に送信される。
【００４８】
供給容器識別ＩＤ取得部１２３は、作業者が保冷庫から出庫して実際にクリームはんだ印刷機１００に供給したクリームはんだ（以下、「供給済みクリームはんだ」と記載する。）について、当該供給済みクリームはんだのクリームはんだ容器の容器識別ＩＤを携帯端末装置３００から取得する機能を有する。供給済みクリームはんだの容器識別ＩＤは、携帯端末装置３００から送信され、通信部１３０によって受信される。また、供給容器識別ＩＤ取得部１２３によって取得した容器識別ＩＤは、照合部１２５に送信される。
【００４９】
使用履歴情報取得部１２４は、当該クリームはんだ印刷機１００に供給され、実際にクリームはんだ印刷機１００によって使用されたクリームはんだ（以下、「使用済みクリームはんだ」と記載する。）の使用履歴情報を取得する機能を有する。使用履歴情報とは、具体的には、印刷部１１０によって基板に印刷された時間（印刷時間）、印刷部１１０によって基板に印刷された回数（印刷回数）、印刷中に別のクリームはんだが継ぎ足された情報（はんだ継ぎ足し情報）等である。使用履歴情報は、印刷部１１０から送信される。また、使用履歴情報取得部１２４で取得した使用済みクリームはんだの使用履歴情報は、通信部１３０を介して外部装置である情報処理装置２００及び携帯端末装置３００に送信される。なお、当該使用履歴情報は、使用履歴情報記憶部１４０及び表示部１５０にも送信される。
【００５０】
照合部１２５は、情報処理装置２００によって選択された区分に属する供給クリームはんだと、実際に作業者がクリームはんだ印刷機１００に供給した供給済みクリームはんだとが一致するかどうかの照合を行う機能を有する。供給クリームはんだと供給済みクリームはんだとの一致又は不一致に関する照合結果については、表示部１５０及び報知部１６０に送信される。
【００５１】
通信部１３０は、外部装置である情報処理装置２００及び携帯端末装置３００との通信を行うための機能を有する。通信部１３０によって、制御部１２０の各機能構成と各外部装置とのデータの送受信が行われる。通信部１３０は、例えば、ＬＡＮアダプタ等で構成することができる。
【００５２】
本実施形態に係るクリームはんだ印刷機１００は、さらに、使用履歴情報記憶部１４０、表示部１５０及び報知部１６０を有する。
【００５３】
使用履歴情報記憶部１４０は、ハードディスク等のメモリで構成されており、使用履歴情報取得部１２４によって取得したクリームはんだの使用履歴情報を記憶し蓄積する機能を有する。使用履歴情報記憶部１４０によって記憶されたクリームはんだの使用履歴情報は、通信部１３０を介して外部装置である情報処理装置２００又は携帯端末装置３００に送信される。
【００５４】
表示部１５０は、ＬＣＤ等のディスプレイで構成されており、使用履歴情報取得部１２４によって取得したクリームはんだの使用履歴情報を表示する機能を有する。これにより、クリームはんだの作業者は、クリームはんだの使用履歴情報を随時見ることができる。また、表示部１５０は、照合部１２５の照合結果を表示する機能も有する。これにより、作業者は、照合部１２５から送信される一致又は不一致の照合結果を見ることができる。その他、表示部１５０は、クリームはんだ印刷機１００の印刷状況の情報を表示するように構成されている。
【００５５】
報知部１６０は、スピーカ等で構成されており、照合部１２５の照合結果を音声で報知する機能を有する。これにより、作業者は、照合部１２５から送信される一致又は不一致の照合結果を聴覚により把握することができる。この場合、一致する場合と不一致の場合とで音声を異ならせることが好ましく、特に照合結果が不一致の場合は、アラーム等の警告音で報知することが好ましい。また、報知部１６０は、その他、クリームはんだ印刷機１００の印刷状況を報知するように構成しても構わない。
【００５６】
なお、作業者が、表示部１５０又は報知部１６０によって不一致（エラー）情報を入手した場合、作業者は、クリームはんだ印刷機１００に供給した供給済みクリームはんだが間違っていたことを知ることができる。従って、作業者は、正しい供給クリームはんだを保冷庫５００から取り出して、正しいものに交換することができる。
【００５７】
また、本実施形態に係るクリームはんだ印刷機１００は、上記の構成の他に、入力部１７０及びメモリ部１８０を備える。入力部１７０は、入力ボタン又は入力タッチパネル等で構成されており、作業者が必要な情報を入力するための機能を有する。また、メモリ部１８０は、ＲＡＭ等で構成されており、制御部１２０の各機能構成が所定の制御を行うために用いられるコンピュータ上の作業領域である。
【００５８】
次に、本発明の実施形態に係る情報処理装置２００について、図３を用いて説明する。図３は、本発明の実施形態に係るクリームはんだの管理供給システムにおける情報処理装置２００の特徴的な構成を示すブロック図である。
【００５９】
図３に示すように、本実施形態に係る情報処理装置２００は、例えば、サーバコンピュータであり、記憶部２１０、制御部２２０及び通信部２３０を備える。
【００６０】
記憶部２１０は、クリームはんだ情報記憶部２１１と、区分テーブル記憶部２１２と、印刷難易度テーブル記憶部２１３とを有する。これらの各記憶部は、ハードディスク等のメモリで構成される。
【００６１】
クリームはんだ情報記憶部２１１は、クリームはんだに関する情報を記憶するためのクリームはんだ情報テーブル２１１Ｔを記憶する。図４は、本実施形態に係るクリームはんだ情報テーブルの一例を示す図である。図４に示すように、クリームはんだ情報テーブル２１１Ｔには、個々のクリームはんだ毎に、すなわち、クリームはんだが収容されるクリームはんだ容器の容器識別ＩＤ毎に、種々のクリームはんだに関する情報が記録されている。例えば、図４に示すように、容器識別ＩＤ毎に、クリームはんだの品番、ロット番号、クリームはんだ印刷機１００に使用された使用履歴情報、保冷庫５００の保管状況及び現在のクリームはんだの区分等が記録されている。使用履歴情報には、過去の使用履歴全てが蓄積されており、クリームはんだが保冷庫から出庫される毎に、また、クリームはんだ印刷機１００に使用される毎に、その情報が蓄積される。
【００６２】
ここで、出庫時間とは、クリームはんだが保冷庫から出庫されている間の時間のことである。また、出庫時間は、クリームはんだ印刷機１００に使用されている時間である使用時間（印刷時間）と、クリームはんだ印刷機１００には使用はされていないが常温に曝されている時間である準使用時間との和となる。準使用時間は、クリームはんだ印刷機１００による使用時間に等価換算したものであり、保冷庫から出庫されたがクリームはんだ印刷機１００に使用されていない時間である非使用時間に所定の係数αを掛けて算出した時間である。係数αは、経験的に、例えば、α＝２と設定することができ、これにより、非使用時間を使用時間に等価換算することができる。
【００６３】
また、使用履歴情報として、総印刷回数も蓄積されており、印刷回数全てにおける使用時間の総和である総使用時間、及び印刷回数全てにおける準使用期間の総和である総準使用期間が算出されている。総使用期間と総準使用期間との和が総出庫時間となる。
【００６４】
なお、その他の使用履歴情報として、別のクリームはんだ容器から継ぎ足されたクリームはんだに関するはんだ継ぎ足し情報も蓄積されている。はんだ継ぎ足し情報としては、継ぎ足したクリームはんだの容器識別ＩＤが記載される。
【００６５】
さらに、クリームはんだ情報テーブル２１１Ｔには、クリームはんだの保管状況も記載されている。例えば、容器識別ＩＤに該当するクリームはんだが、保冷庫に存在するのか（保冷）、それとも出庫されて常温戻し中なのか（常温）、あるいは、クリームはんだ印刷機１００に使用されているのか（使用中）、あるいは、既に廃棄されたものであるのか（廃棄）、といった情報が記録されている。
【００６６】
また、クリームはんだ情報テーブル２１１Ｔには、クリームはんだ情報テーブルに登録されたクリームはんだについて、後述するように、現在のクリームはんだの区分も記載されている。このクリームはんだの区分は、総出庫時間に基づいて区分決定部２２４によって決定され、総出庫時間が更新される度に、このクリームはんだの区分も更新される。
【００６７】
次に、区分テーブル記憶部２１２は、クリームはんだの使用履歴情報とクリームはんだの区分とが予め対応付けられた区分テーブル２１２Ｔが記憶されている。本実施形態において、クリームはんだを区分するために用いられるクリームはんだの使用履歴情報とは、図４に示すクリームはんだ情報テーブルの総出庫時間のことであり、当該総出庫時間に基づいてクリームはんだの区分が決定される。クリームはんだの区分には、少なくとも、総出庫時間が相対的に短い場合の第１区分と総出庫時間が相対的に長い場合の第２区分とが含まれる。
【００６８】
図５は、本実施形態に係る情報処理装置２００の区分テーブル記憶部２１２に記憶される区分テーブルの一例を示す図である。図５に示すように、本実施形態においては、クリームはんだの総出庫時間Ｔ（時間）に応じて、Ｔ＝０の場合は、クリームはんだの区分を「区分１」とし、０＜Ｔ≦１２の場合は、クリームはんだの区分を「区分２」とし、１２＜Ｔ≦１４０の場合は、「区分３」とし、１４０＜Ｔの場合は、「区分４」とし、４区分に分けた。なお、「区分１」は、新品のクリームはんだであり、「区分２」、「区分３」及び「区分４」は、クリームはんだ印刷機１００から回収された使用済みクリームはんだ、又はクリームはんだ印刷機１００には使用されてはいないが常温に曝されたクリームはんだである。なお、図５に示す区分は例示であり、本実施形態にように４区分ではなく、２区分又は３区分としても構わないし、あるいは、５区分以上に細かく区分しても構わない。
【００６９】
印刷難易度テーブル記憶部２１３は、クリームはんだが印刷される基板に実装される部品（実装部品）に関する情報と基板の印刷難易度とが予め対応付けられた印刷難易度テーブル２１３Ｔが記憶されている。基板の印刷難易度は、クリームはんだを基板に印刷する際の印刷困難性を表しており、印刷難易度が高ければ高いほど印刷困難性が高く、逆に、印刷難易度が低ければ低いほど印刷困難性は低い。基板の印刷難易度には、少なくとも、基板の印刷が相対的に難しい場合の第１印刷難易度と基板の印刷が相対的に易しい場合の第２印刷難易度とが含まれている。
【００７０】
図６は、本実施形態に係る情報処理装置２００の印刷難易度テーブル記憶部２１３に記憶される印刷難易度テーブルの一例を示す図である。図６に示すように、実装部品に関する情報として、実装部品そのものの情報に加えて、マスク識別ＩＤ及びマスク開口のアスペクト比が記憶されている。図６に示すように、実装部品に対応するようにして予め所定のメタルマスクが決められており、本実施形態では、メタルマスクにはマスク識別ＩＤが付与されている。すなわち、ある一つの実装部品に対して一つのマスク識別ＩＤが対応付けられている。本実施形態では、実装部品毎に、すなわち、マスク識別ＩＤ毎に印刷難易度が予め設定されている。
【００７１】
基板の印刷難易度は、メタルマスクの開口に基づいて決定されており、本実施形態では、メタルマスクの開口のアスペクト比ＡＲに基づいて印刷難易度が決定されている。図７は、本実施形態に係るクリームはんだ印刷機に使用されるメタルマスクの開口を示す要部拡大斜視図である。図７に示すように、メタルマスクの厚さをＺ（ｍｍ）とし、実装部品の搬送方向におけるメタルマスクの開口幅であるマスク開口短軸寸法をＸ（ｍｍ）としたときに、厚さＺに対する開口幅Ｘ（ｍｍ）の比をアスペクト比ＡＲ（Ｚ／Ｘ）として表される。印刷難易度はこのアスペクト比ＡＲに基づいて区分されている。本実施形態では、アスペクト比ＡＲが、ＡＲ≧０．５の場合は、印刷難易度が最も高い「Ａ」とし、０．２００≦ＡＲ＜０．５００の場合は、印刷難易度が中程度の「Ｂ」とし、ＡＲ＜０．２００の場合は、印刷難易度が最も低い「Ｃ」とし、アスペクト比に応じて基板の印刷難易度を３ランクに分けた。
【００７２】
なお、アスペクト比をマスク開口の短軸寸法に基づいて決定した理由は、マスク開口の短軸方向が、印刷する際の基板搬送方向となるからであり、マスク開口の短軸長さがクリームはんだの印刷に影響を与えるからである。すなわち、マスクの厚さが同じである場合、マスク開口の短軸長さが短ければ短いほどクリームはんだはマスク開口内を通過しにくくなる。逆に、マスク開口の短軸長さが長ければ長いほどクリームはんだはマスク開口内を通過しやすくなる。クリームはんだがマスク開口を通過しにくくなると、クリームはんだの粘度が低下した場合には、基板印刷状態が劣化し、不良発生率が高くなる。
【００７３】
図３に戻り、制御部２２０は、容器識別ＩＤ取得部２２１と、クリームはんだ情報取得部２２２と、部品情報取得部２２３と、区分決定部２２４と、印刷難易度決定部２２５と、印刷難易度取得部２２６と、区分選択部２２７と、供給クリームはんだ選択部２２８とを有する。制御部２２０の各機能構成は、プロセッサ、又は、ＲＯＭ若しくはＲＡＭ等のメモリ等、既知のハードウェアで構成されている。また、メモリには各処理を実行するための所定のコンピュータプログラムが記憶されており、各機能構成は、マイクロプロセッサがコンピュータプログラムに従って動作することにより、その機能が達成される。
【００７４】
容器識別ＩＤ取得部２２１は、作業者が保冷庫から出庫して実際にクリームはんだ印刷機１００に供給した供給済みクリームはんだについて、当該供給済みクリームはんだのクリームはんだ容器の容器識別ＩＤを携帯端末装置３００から取得する機能を有する。また、容器識別ＩＤ取得部２２１は、印刷終了後、作業者が保冷庫に入庫した使用済みクリームはんだについて、当該使用済みクリームはんだのクリームはんだ容器の容器識別ＩＤを携帯端末装置３００から取得する機能も有する。なお、取得した容器識別ＩＤは、クリームはんだ記憶部２１１に送信される。
【００７５】
クリームはんだ情報取得部２２２は、クリームはんだ印刷機１００によって使用された使用済みクリームはんだについて、クリームはんだの識別情報である容器識別ＩＤ及び使用履歴情報等の情報をクリームはんだ印刷機１００から取得する機能を有する。また、未使用のクリームはんだに関する容器識別ＩＤの情報も取得する機能を有する。なお、取得したクリームはんだの情報は、区分決定部２２４に送信される。また、取得したクリームはんだの情報は、同時に取得する容器識別ＩＤとともにクリームはんだ情報記憶部２１１に送信され、クリームはんだ情報テーブル２１１Ｔの情報が更新される。
【００７６】
部品情報取得部２２３は、基板に実装される実装部品に関する情報をクリームはんだ印刷機１００から取得する機能を有する。上述のとおり、本実施形態では、基板に実装される実装部品とメタルマスクとは一対一に対応するので、本実施形態では、マスク識別ＩＤを実装部品に関する情報として取得する。取得した実装部品に関する情報は、印刷難易度決定部２２５に送信される。
【００７７】
区分決定部２２４は、区分テーブル記憶部２１２に記憶された区分テーブル２１２Ｔを参照して、クリームはんだ情報取得部２２２によって取得した容器識別ＩＤに対応するクリームはんだについて、クリームはんだの使用履歴情報に応じてクリームはんだの区分を決定する機能を有する。決定された区分は、クリームはんだ情報記憶部２１１に送信され、クリームはんだ情報テーブル２１１Ｔにおいて、対応するクリームはんだの容器識別ＩＤの区分が更新される。
【００７８】
なお、総出庫時間が最も長い時間である区分に区分された場合は、クリームはんだを廃棄処分することが好ましい。本実施形態では、図５に示すように、クリームはんだを回収したときに、総出庫時間が１４０時間を越える区分である「区分４」に区分されたクリームはんだについては廃棄処分とし、クリームはんだ情報テーブル２１１Ｔの区分の欄を更新する。
【００７９】
印刷難易度決定部２２５は、印刷難易度テーブル記憶部２１３に記憶された印刷難易度テーブル２１３Ｔを参照して、クリームはんだ印刷機１００によって印刷される基板について、当該基板に実装される実装部品に関する情報に対応する基板の印刷難易度を決定する機能を有する。基板の印刷難易度は、図６の印刷難易度テーブル２１３Ｔに示されるように、基板に実装される実装部品に対応するマスク識別ＩＤと対応付けられている。部品情報取得部２２３によって取得した印刷対象である基板のマスク識別ＩＤに基づいて、基板の印刷難易度が決定される。決定された基板の印刷難易度は、印刷難易度取得部２２６に送信される。
【００８０】
印刷難易度取得部２２６は、基板の印刷難易度を取得する機能を有する。本実施形態では、基板の印刷難易度は、印刷難易度決定部２２５から取得するように構成される。なお、基板の印刷難易度は、必ずしも印刷難易度決定部２２５によって算出して決定されるものではなく、作業者が印刷難易度テーブルに基づいて決定し、作業者が入力部２４０から入力して基板の印刷難易度を取得するように構成しても構わない。取得した基板の印刷難易度は、区分選択部２２７に送信される。
【００８１】
区分選択部２２７は、印刷難易度取得部２２６によって取得した基板の印刷難易度に応じて、クリームはんだ印刷機１００に供給する供給クリームはんだの区分を選択する機能を有する。選択された供給クリームはんだの区分の情報は、供給クリームはんだ選択部２２８に送信されるとともに、通信部１３０を介して外部装置であるクリームはんだ印刷機１００及び携帯端末装置３００にも送信される。
【００８２】
区分選択部２２７における供給クリームはんだの区分の選択は、次のようにして行われる。
【００８３】
まず、印刷難易度取得部２２６によって取得した基板の印刷難易度が最も低い場合は、最も古いクリームはんだの区分を選択する。本実施形態では、基板の印刷難易度が最も低い場合は「Ｃ」であるので、基板の印刷難易度が「Ｃ」である場合は、使用可能なクリームはんだのうち最も総出庫時間が長い時間の区分である「区分３」を選択する。なお、基板の印刷難易度が「Ｃ」である場合でも「区分１」又は「区分２」を選択することは可能である。すなわち、印刷不良の発生確率を低減するという観点だけで判断すると、「区分３」ではなく、「区分２」、さらには「区分１」を選択する方が好ましいと考えられる。しかし、後述するように、「区分３」のクリームはんだは、基板の印刷難易度が「Ａ」又は「Ｂ」の基板には適さないので、「区分３」のクリームはんだは、基板の印刷難易度が「Ｃ」の基板で消費する方が全体として廃棄するクリームはんだの量を低減することができる。
【００８４】
また、基板の印刷難易度が「Ｂ」である場合は、「区分２」を選択する。これは、基板の印刷難易度が「Ｂ」の場合に「区分３」のクリームはんだを選択すると、「区分２」を選択した場合に比べて、印刷不良の発生確率が高くなるからである。このように、「区分２」のクリームはんだよりも「区分３」のクリームはんだの方が印刷不良の発生確率が高くなるのは、クリームはんだは出庫時間の経過とともに粘度が高くなり印刷不良が発生する可能性が高くなるからである。また、出庫時間の経過とともにフラックスが酸化し、印刷品質が劣化するという問題もあるからである。つまり、クリームはんだは出庫時間が長くなればなるほど、印刷不良の発生確率が高くなるとともに印刷品質が劣化する。特に、メタルマスクの開口のアスペクト比ＡＲが大きいほど、印刷不良が発生する確率が高くなる。従って、印刷不良の発生をできるだけ少なくするためには、メタルマスクの開口のアスペクト比ＡＲが大きいほど、すなわち、印刷難易度が高いほど、出庫時間が短い方の区分を選択することが好ましい。
【００８５】
なお、基板の印刷難易度が「Ｂ」である場合には、「区分１」を選択することも可能であるが、上述のとおり、廃棄するクリームはんだの量を低減するためには、「区分２」を選択することが好ましい。
【００８６】
また、基板の印刷難易度が「Ａ」である場合は、「区分１」を選択する。つまり、基板の印刷難易度が最も高い難易度であった場合は、未使用である新品のクリームはんだを使用することが好ましい。なお、基板の印刷難易度が「Ａ」である場合に「区分２」又は「区分３」を選択することは、印刷不良の発生確率が高くなるので好ましくない。
【００８７】
以上のとおり、クリームはんだの区分として、出庫時間が相対的に短い場合の第１区分と出庫時間が相対的に長い場合の第２区分とを含むとともに、基板の印刷難易度として、印刷が相対的に難しい場合の第１印刷難易度と印刷が相対的に易しい場合の第２印刷難易度とを含む場合において、印刷難易度決定部２２５が基板の印刷難易度として第２印刷難易度を決定した場合、区分選択部２２７は第２区分を選択するように構成されている。これにより、基板の印刷品質を維持しつつ、クリームはんだの廃棄量を低減することができる。
【００８８】
このように、区分選択部２２７によって選択された区分は、供給クリームはんだ選択部２２８に送信され、当該区分に従って、供給クリームはんだ選択部２２８によって所定の供給クリームはんだが選択される。なお、クリームはんだの選択は、選択されたクリームはんだの区分に従って、作業者が当該区分に属するクリームはんだを保冷庫から選択するようにしても構わない。この場合、区分選択部２２７によって選択された区分は、通信部２３０を介して携帯端末装置３００に送信される。
【００８９】
供給クリームはんだ選択部２２８は、区分選択部２２７によって選択されたクリームはんだの区分を取得し、クリームはんだ情報テーブル２１１Ｔを参照して、当該区分に属する区分済みのクリームはんだの中から、クリームはんだ印刷機１００に供給するための最適な供給クリームはんだを選択し決定する機能を有する。具体的には、クリームはんだ情報テーブル２１１Ｔの中から、当該区分に属するクリームはんだの容器識別ＩＤを抽出する。この場合、選択された区分に属するクリームはんだのうち、総出庫時間が最も長いものから選択することが好ましい。選択された供給クリームはんだの情報（容器識別ＩＤ）は、通信部１３０を介してクリームはんだ印刷機１００又は携帯端末装置３００に送信される。
【００９０】
以上、供給クリームはんだを選択する方法について、図８を用いて説明する。図８は、本発明の実施形態に係るクリームはんだの管理供給システムにおける供給クリームはんだの選択方法の概略を示す図である。
【００９１】
図８に示すように、基板の印刷難易度が「Ａ」の場合は、新品のクリームはんだが収納されたクリームはんだ容器４０１を保管庫から出庫し、クリームはんだ印刷機１００に供給する。そして、クリームはんだ印刷機１００にＸ時間使用された後、残ったクリームはんだについては回収されて再びクリームはんだ容器４０１に収容される。このクリームはんだ容器４０１は保冷庫に入庫して保冷される。Ｘ時間使用したクリームはんだは、例えばＸ時間が１２時間以内であれば、「区分２」に再区分される。
【００９２】
「区分２」に再区分されたＸ時間使用したクリームはんだは、この後、基板の印刷難易度が「Ｂ」と決定された基板に対して使用するための供給クリームはんだとして選択される。その後、さらに、クリームはんだ印刷機１００にＹ時間使用された後、残ったクリームはんだについては再びクリームはんだ容器４０１に回収され、保冷庫に入庫して保冷される。（Ｘ＋Ｙ）時間使用したクリームはんだは、例えば、（Ｘ＋Ｙ）時間が１２時間超１４０時間以内であれば、「区分３」に再区分される。
【００９３】
「区分３」に再区分された（Ｘ＋Ｙ）時間使用したクリームはんだは、この後、基板の印刷難易度が「Ｃ」と決定された基板に対して使用するための供給クリームはんだとして選択される。そして、さらに、Ｚ時間使用された後、一定時間経過していた場合は廃棄する。また、一定時間経過内であれば、再び基板の印刷難易度が「Ｃ」の場合に使用することもできる。
【００９４】
廃棄の基準となる上記一定時間は、本実施形態では１４０時間とした。このように総出庫時間が１４０時間を越える「区分４」のクリームはんだについては原則廃棄する。なお、基板の印刷難易度が「Ｃ」である基板については、総出庫時間が２４時間を越えても１４０時間内のクリームはんだであれば、印刷不良がほとんど発生しないことを確認した。一方、総出庫時間が１４０時間を越えるクリームはんだについては、印刷難易度が「Ｃ」の基板であっても印刷不良が発生する確率が高くなった。従って、印刷難易度が「Ｃ」の基板の印刷を開始するときに、印刷終了時刻において総出庫時間が１４０時間を越えるような印刷である場合は、当該印刷には「区分３」のクリームはんだであっても使用しないことが好ましい。なお、以降、クリームはんだ容器４０２、４０３、４０４についても同様である。
【００９５】
再び図３に戻り、通信部１３０は、外部装置であるクリームはんだ印刷機１００及び携帯端末装置３００との通信を行うための機能を有する。通信部１３０によって、制御部２２０の各機能構成と外部装置とのデータの送受信が行われる。通信部１３０は、例えば、ＬＡＮアダプタ等で構成することができる。
【００９６】
また、本実施形態に係る情報処理装置２００は、上記の構成の他に、入力部２４０、メモリ部２５０及び表示部２６０を備える。入力部２４０は、キーボード又はマウス等で構成されており、作業者が必要な情報を入力する機能を有する。例えば、基板の印刷難易度を作業者が決定する場合は、基板の印刷難易度を入力部２４０によって入力することができる。また、メモリ部２５０は、ＲＡＭ等で構成されており、制御部２２０の各機能構成が所定の制御を行うために用いられるコンピュータ上の作業領域である。また、表示部２６０は、ＬＣＤ等のディスプレイで構成されており、制御部２２０で決定又は選択された出力内容を表示する機能を有する。
【００９７】
次に、本発明の実施形態に係る携帯端末装置３００について、図９を用いて説明する。図９は、本発明の実施形態に係るクリームはんだの管理供給システムにおける携帯端末装置３００の特徴的な構成を示すブロック図である。
【００９８】
図９に示すように、本実施形態に係る携帯端末装置３００は、例えば、携帯型のコンピュータであり、制御部３１０、表示部３２０及び通信部３３０を備える。
【００９９】
制御部３１０は、選択区分取得部３１１と、容器識別ＩＤ取得部３１２と、容器識別ＩＤ読取部３１３と、作業者識別ＩＤ読取部３１４とを有する。制御部３１０の各機能構成は、プロセッサ、又は、ＲＯＭ若しくはＲＡＭ等のメモリ等、既知のハードウェアで構成されている。また、メモリには各処理を実行するための所定のコンピュータプログラムが記憶されており、各機能構成は、マイクロプロセッサがコンピュータプログラムに従って動作することにより、その機能が達成される。
【０１００】
選択区分取得部３１１は、情報処理装置２００によって選択されたクリームはんだの区分を情報処理装置２００から取得する機能を有する。取得したクリームはんだの区分は、表示部３２０に送信され、表示される。作業者は、表示されたクリームはんだの区分に従って、当該区分に属するクリームはんだを保冷庫から出庫する。
【０１０１】
容器識別ＩＤ取得部３１２は、クリームはんだ印刷機１００に供給するために選択された供給クリームはんだの容器識別ＩＤを、情報処理装置２００から取得する機能を有する。取得した容器識別ＩＤは表示部３２０に送信される。作業者は、選択された供給クリームはんだの容器識別ＩＤに従って、当該容器識別ＩＤのクリームはんだを保冷庫から出庫する。
【０１０２】
なお、選択区分取得部３１１と容器識別ＩＤ取得部３１２は少なくともどちらか一つ備えていればよい。情報処理装置２００において供給クリームはんだの区分のみを選択する場合は、選択区分取得部３１１のみを有するように構成すればよく、また、情報処理装置２００において特定の供給クリームはんだまでも選択する場合は、容器識別ＩＤ取得部３１２のみを有するように構成すればよい。
【０１０３】
容器識別ＩＤ読取部３１３は、作業者がクリームはんだ印刷機１００にクリームはんだを供給する際に、当該クリームはんだの容器識別ＩＤを読み取るための機能を有する。読み取った容器識別ＩＤは通信部３３０を介してクリームはんだ印刷機１００及び情報処理装置２００に送信されるとともに、表示部３２０にも送信される。
【０１０４】
作業者識別ＩＤ読取部３１４は、作業者が印刷作業を開始する際に、作業者が保持するＩＤカード等から作業者識別ＩＤを読み取るための機能を有する。読み取った作業者識別ＩＤは、クリームはんだ印刷機１００及び情報処理装置２００に送信されるとともに、表示部３２０にも送信される。
【０１０５】
表示部３２０は、ＬＣＤ等のディスプレイで構成されており、選択区分取得部３１１、容器識別ＩＤ取得部３１２、容器識別ＩＤ読取部３１３又は作業者識別ＩＤ読取部３１４によって取得又は読み取った情報を表示する機能を有する。これにより、作業者は、取得又は読み取った情報を視覚的に確認することができる。
【０１０６】
通信部３３０は、外部装置であるクリームはんだ印刷機１００又は情報処理装置２００との通信を行うための機能を有する。通信部３３０によって、制御部３１０の各機能構成と外部装置とのデータの送受信が行われる。通信部３３０は、例えば、ＬＡＮアダプタ等で構成することができる。
【０１０７】
また、本実施形態に係る携帯端末装置３００は、上記の構成の他に、入力部３４０及びメモリ部３５０を備える。入力部３４０は、点キー等で構成されており、作業者が必要な情報を入力する機能を有する。また、メモリ部３５０は、ＲＡＭ等で構成されており、制御部３１０の各機能構成が所定の制御を行うために用いられるコンピュータ上の作業領域である。
【０１０８】
次に、以上のように構成された本発明の実施形態に係るクリームはんだの管理供給システムを用いた、本発明の実施形態に係るクリームはんだの管理供給方法について説明する。図１０は、本発明の実施形態に係るクリームはんだの管理供給システムの処理動作を示すフローチャートである。
【０１０９】
本発明の実施形態に係るクリームはんだの管理供給方法は、クリームはんだ印刷機１００に供給するための供給クリームはんだの区分を選択することに関し、クリームはんだ情報取得ステップと区分決定ステップとを含む管理ステップと、印刷難易度決定ステップと区分選択ステップとを含む供給ステップとを含む。
【０１１０】
まず、図１０に示すように、クリームはんだ情報取得ステップでは、クリームはんだ印刷機１００によって使用された使用済みクリームはんだの容器識別ＩＤと使用履歴情報とをクリームはんだ印刷機１００から取得する（Ｓ２０１）。取得した情報は、図４に示すようなクリームはんだ情報テーブル２１１Ｔに記録される。
【０１１１】
次に、区分決定ステップでは、図５に示すような区分テーブル２１２Ｔを参照して、クリームはんだ印刷機１００に使用された使用済みクリームはんだの使用履歴情報に応じて、当該使用済みクリームはんだの容器識別ＩＤに対応する使用済みクリームはんだの区分を決定する（Ｓ２０２）。決定されたクリームはんだの区分は、図４に示すようなクリームはんだ情報テーブル２１１Ｔに記録される。
【０１１２】
次に、基板にクリームはんだを印刷する際、印刷難易度決定ステップでは、図６に示すような印刷難易度テーブル２１３Ｔを参照して、クリームはんだが印刷される基板について、当該基板に実装される実装部品に関する情報に対応する前記基板の印刷難易度を決定する（Ｓ２０４）。
【０１１３】
次に、決定された基板の印刷難易度に応じて、クリームはんだ印刷機に供給するクリームはんだの区分を選択する。さらに、選択されたクリームはんだの区分に応じて、区分済みのクリームはんだの中から、クリームはんだ印刷機１００に供給するための供給クリームはんだを選択する（Ｓ２０５）。
【０１１４】
本発明の実施形態に係るクリームはんだの管理供給方法は、これにより、印刷品質を維持しつつ、廃棄はんだ量を最小限に抑えることができる。
【０１１５】
次に、本発明の実施形態に係るクリームはんだの管理供給システムの処理動作について、図２〜９を参照しながら図１０を用いてさらに詳しく説明する。
【０１１６】
図１０に示すように、印刷を開始する前において、使用済みクリームはんだは情報処理装置２００によって管理されており、情報処理装置２００は、使用済みのクリームはんだの過去の使用履歴情報を取得し（Ｓ２０１）、使用済みクリームはんだの区分を決定している（Ｓ２０２）。使用済みクリームはんだの区分は、図５に示すような区分テーブル２１２Ｔを参照して、使用済みクリームはんだの使用履歴情報に応じて決定される。当該クリームはんだの区分は、図４に示すようなクリームはんだ情報テーブル２１１Ｔの項目の一つであり、情報処理装置２００のクリームはんだ情報記憶部２１１に記憶されている。なお、クリームはんだは、クリームはんだ容器に収容されており、クリームはんだの区分は、クリームはんだの容器識別ＩＤと対応させて管理されている。
【０１１７】
次に、基板にクリームはんだを印刷する場合について説明する。なお、印刷作業を開始する前に、作業者は、必要に応じて機種切り替えを行う。これにより、クリームはんだ印刷機１００に使用されるメタルマスクが決定され、印刷部１１０の所定の位置にメタルマスクがセットされる。
【０１１８】
印刷を開始する際、まず、作業者は、携行するＩＤカードを用いて作業者の識別ＩＤを携帯端末装置３００に読み取らせる（Ｓ３０１）。これは、以降行う印刷作業の作業者を特定するためであり、作業者の識別ＩＤとクリームはんだ容器の容器識別ＩＤとを連動させることにより、クリームはんだの管理体制を構築することができる。
【０１１９】
次に、作業者は、印刷作業の開始指示を携帯端末装置３００に与える。これにより、携帯端末装置３００は、作業開始指示情報をクリームはんだ印刷機１００に送信する（Ｓ３０２）。なお、作業開始指示情報は、作業者がクリームはんだ印刷機１００に直接入力するようにしても構わない。また、作業開始指示情報は、情報処理装置２００にも送信するようにしても構わない。
【０１２０】
作業開始指示情報を受信したクリームはんだ印刷機１００は、印刷部１１０にセットされたメタルマスクのマスク識別ＩＤを読み取る（Ｓ１０１）。クリームはんだ印刷機１００は、読み取ったマスク識別ＩＤを情報処理装置２００に送信する（Ｓ１０２）。このマスク識別ＩＤの読み取りと送信は、基板の印刷難易度を決定するためのものである。このように、本実施形態では、基板の印刷難易度を決定する際の実装部品に関する情報として、マスク識別ＩＤを利用している。
【０１２１】
クリームはんだ印刷機１００が送信したマスク識別ＩＤは情報処理装置２００によって受信され、これにより、情報処理装置２００はマスク識別ＩＤを取得する（Ｓ２０３）。マスク識別ＩＤは、情報処理装置２００の部品情報取得部２２３によって取得される。
【０１２２】
次に、マスク識別ＩＤを取得した情報処理装置２００は、図６に示す印刷難易度テーブル２１３Ｔを参照して、取得したマスク識別ＩＤに応じて、印刷する基板についての基板の印刷難易度を決定する（Ｓ２０４）。なお、印刷難易度の決定方法については上述したとおりであるので、ここではその説明は省略する。
【０１２３】
次に、情報処理装置２００は、決定された印刷難易度に応じて、クリームはんだ印刷機１００に供給する供給クリームはんだの区分を選択する。さらに、選択されたクリームはんだの区分に基づいて、クリームはんだ情報テーブル２１１Ｔを参照し、区分済みのクリームはんだの中から、供給クリームはんだを選択する（Ｓ２０５）。供給クリームはんだは、容器識別ＩＤによって特定される。なお、クリームはんだの選択方法については、上述したとおりであるので、ここではその説明は省略する。
【０１２４】
選択された供給クリームはんだの容器識別ＩＤは、情報処理装置２００によってクリームはんだ印刷機１００及び携帯端末装置３００に送信される（Ｓ２０６）。選択された供給クリームはんだの容器識別ＩＤを受信したクリームはんだ印刷機１００は、選択容器識別ＩＤ取得部１２２によって、選択された供給クリームはんだの容器識別ＩＤを取得する（Ｓ１０３）。また、携帯端末装置３００は、容器識別ＩＤ取得部３１２によって、選択された供給クリームはんだの容器識別ＩＤを取得する（Ｓ３０３）。なお、本実施形態では、携帯端末装置３００は、容器識別ＩＤを取得して特定のクリームはんだの識別情報を取得するようにしたが、供給クリームはんだの区分を取得して、当該区分に属するクリームはんだの中から作業者が供給クリームはんだを選択するようにしても構わない。
【０１２５】
携帯端末装置３００は、選択された供給クリームはんだの容器識別ＩＤを取得すると（Ｓ３０３）、当該容器識別ＩＤが携帯端末装置３００の表示部３２０に表示される。作業者は、表示された容器識別ＩＤのクリームはんだをクリームはんだ印刷機１００に供給するために、表示された容器識別ＩＤを確認し、当該容器識別ＩＤに対応するクリームはんだの容器を保冷庫５００から出庫し、クリームはんだを常温に戻す。
【０１２６】
その後、作業者は、出庫して常温に戻したクリームはんだをクリームはんだ印刷機１００に供給する。このとき、作業者は、クリームはんだ印刷機１００に供給した供給済みクリームはんだの容器識別ＩＤを携帯端末装置３００によって読み取る（Ｓ３０４）。携帯端末装置３００は、読み取った容器識別ＩＤをクリームはんだ印刷機１００に送信する（Ｓ３０４）。クリームはんだ印刷機１００は、供給済みクリームはんだの容器識別ＩＤを受信し、供給容器識別ＩＤ取得部１２３によって供給済みクリームはんだの容器識別ＩＤを取得する（Ｓ１０４）。
【０１２７】
なお、このとき、供給済みクリームはんだが保冷庫５００に存在しないという情報を情報処理装置２００が入手するために、携帯端末装置３００によって読み取った供給済みクリームはんだの容器識別ＩＤの情報を、情報処理装置２００にも送信する（Ｓ３０４）。このように、供給済みクリームはんだの容器識別ＩＤは、情報処理装置２００によっても取得され（Ｓ２０７）、クリームはんだ情報テーブル２１１Ｔの保管状況の項目に「印刷使用中」として記録される。
【０１２８】
次に、クリームはんだ印刷機１００は、情報処理装置２００によって選択された供給クリームはんだと、作業者が保冷庫から出庫して実際にクリームはんだ印刷機１００に供給した供給済みクリームはんだとが一致するかどうかの照合を行う（Ｓ１０５）。この照合は、クリームはんだ印刷機１００の照合部１２５によって行われる。照合の結果、一致すると判断した場合は、所定の印刷が開始される（Ｓ１０６）。一方、照合の結果、一致しないと判断した場合は、作業者に一致しないことを知らせるために、クリームはんだ印刷機１００の表示部１５０によって不一致の照合結果を表示するとともに、報知部１６０によってアラーム音等の警告音を発信する。作業者が、不一致（エラー）情報を入手した場合、作業者は、クリームはんだ印刷機１００に供給したクリームはんだが間違っていたことを知ることができるので、正しいクリームはんだを保冷庫から取り出して交換することができる。
【０１２９】
印刷中、クリームはんだ印刷機１００は、クリームはんだの使用履歴情報を使用履歴情報取得部１２４によって随時取得し、使用履歴情報記憶部１４０に蓄積する（Ｓ１０７）。また、印刷中、作業者は、クリームはんだの使用状況を表示部１５０によって随時確認することができる。
【０１３０】
印刷終了後、使用した使用済みクリームはんだの残りを回収し、供給したときと同じ容器識別ＩＤのクリームはんだ容器に収容する。クリームはんだの回収は、作業者がヘラ等の回収用具を用いることによって行うことができる。作業者は、回収した使用済みクリームはんだが収容されたクリームはんだ容器を保冷庫に入庫する。入庫の際、作業者は、入庫した使用済みクリームはんだの容器識別ＩＤを携帯端末装置３００によって読み取って、情報処理装置２００に送信する（Ｓ３０５）。これにより、情報処理装置２００は、入庫した使用済みクリームはんだの容器識別ＩＤを取得する（Ｓ２０８）。
【０１３１】
また、印刷終了後、クリームはんだ印刷機１００は、使用済みクリームはんだの容器識別ＩＤに対する使用履歴情報を情報処理装置２００に送信する（Ｓ１０８）。これにより、情報処理装置２００は、使用済みクリームはんだの容器識別ＩＤに対する使用履歴情報を取得する（Ｓ２０９）。
【０１３２】
情報処理装置２００は、取得した使用済みクリームはんだの入庫情報と使用履歴情報とを容器識別ＩＤに対応させて、クリームはんだ情報記憶部２１１に記憶し、クリームはんだ情報テーブル２１１Ｔの記録内容を更新する（Ｓ２１０）。
【０１３３】
さらに、情報処理装置２００は、使用済みクリームはんだの更新された使用履歴情報に基づいて、区分テーブル２１２Ｔを参照して、使用済みクリームはんだの区分を再決定し、更新する（Ｓ２１０）。再決定し更新された区分によって、クリームはんだ情報テーブル２１１Ｔのクリームはんだの区分の項目が書き換えられる。
【０１３４】
なお、印刷中にクリームはんだが不足した場合は、使用中のマスク識別ＩＤに基づいて決定された印刷難易度に応じて、再び、クリームはんだ印刷機１００に供給するクリームはんだの区分が選択され、区分済みのクリームはんだの中から、供給クリームはんだが選択される（Ｓ２０５）。そして、選択された供給クリームはんだが継ぎ足される。この場合、供給前の古いクリームはんだは使い切ったものとして、その情報がクリームはんだ情報記憶部２１１に記憶され、該当する容器識別ＩＤに対応させて、クリームはんだ情報テーブル２１１Ｔの保管状況の項目には「使い切り」と記録される。また、継ぎ足した方のクリームはんだについては、該当する容器識別ＩＤに対応させて、クリームはんだ情報テーブル２１１Ｔのはんだ継ぎ足し情報の項目には、継ぎ足された方（使い切った方）の容器識別ＩＤの情報が記録される。なお、供給クリームはんだが選択された後の処理動作は、上述した処理動作を同様の処理動作であるので、その説明は省略する。
【０１３５】
以上、本発明に係るクリームはんだの管理供給方法については、コンピュータによって実行させるコンピュータプログラムによっても構成することもできる。また、当該クリームはんだの管理供給方法のコンピュータプログラムについては、コンピュータによって読み取り可能な記録媒体に記録してもよい。記憶媒体としては、磁気ディスク、光ディスク、光磁気ディスク、ＩＣカード、半導体メモリ等があり、例えば、フレキシブルディスク、ハードディスク、ＣＤ、ＤＶＤ、ＢＤ（Ｂｌｕ−ｒａｙ  Ｄｉｓｃ）がある。
【０１３６】
以上のとおり、本発明に係るクリームはんだの管理供給システム及びクリームはんだの管理供給方法は、クリームはんだの使用履歴情報に基づいてクリームはんだを予め区分しておくことにより、クリームはんだ印刷機に最適な供給を行うためのクリームはんだの管理を実現することができる。そして、このような管理をすることにより、基板にクリームはんだを印刷する際、基板の印刷難易度に応じて、クリームはんだ印刷機に供給する最適なクリームはんだの区分を選択することができる。さらに、選択された区分に従って、最適な供給クリームはんだを選択することができる。本発明によれば、基板の印刷難易度が低いものには、古いクリームはんだから順次使いまわし、基板の印刷難易度が高いものには、新しいクリームはんだを使用して古いクリームはんだは使用しないということができるので、印刷品質を維持しつつ、廃棄はんだ量を最小限に抑えることができる。
【０１３７】
また、従来のクリームはんだの管理方法では、２４時間経過したクリームはんだは一律に廃棄していたが、基板の印刷難易度が低い場合には１４０時間まで使えることが確認できた。従って、基板の印刷難易度が低いものには、１４０時間経過するまでのクリームはんだを使用することができる。これにより、廃棄はんだ量を大幅に低減することができる。
【０１３８】
また、本発明に係るクリームはんだの管理供給システムを用いることにより、作業者の作業ミスを解消することもできる。本実施形態では、各処理動作において、クリームはんだを容器識別ＩＤで管理しているので、仮に、作業者のシフト等によって、はんだ容器を保冷庫から取り出す人、クリームはんだ印刷機にクリームはんだを供給する人、又は、クリームはんだ印刷機からクリームはんだを回収する人がそれぞれ異なっていたとしても、はんだ容器の取り違い等の人的作業ミスを解消することができる。
【０１３９】
以上、本発明に係るクリームはんだの管理供給システム及びクリームはんだの管理供給方法について実施形態に基づいて説明したが、本発明に係るクリームはんだの管理供給システム及びクリームはんだの管理供給方法は、上記の実施形態に限定されるものではない。
【０１４０】
例えば、上記の実施形態では、クリームはんだ印刷機は１台の場合で説明したが、複数のライン等で複数のクリームはんだ印刷機がある場合でも同様の処理動作によって、本発明を実現することができる。複数のラインの場合はより作業ミスが発生しやすいが、本発明に係るクリームはんだの管理供給システムを用いることにより、複数のラインの場合であっても作業ミスを解消することができる。
【０１４１】
また、本実施形態では、情報処理装置２００によってクリームはんだの管理及び供給を実現したが、上記の情報処理装置２００の機能構成をクリームはんだ印刷機１００又は携帯端末装置３００に搭載し、クリームはんだ印刷機１００又は携帯端末装置３００によって本発明に係るクリームはんだの管理及び供給を実現しても構わない。
【０１４２】
また、本実施形態では、クリームはんだを常温に戻す時間も管理対象として考慮したが、クリームはんだ印刷機１００に印刷される印刷時間のみでクリームはんだを管理するようにしても構わない。但し、本実施形態のように、クリームはんだを常温に戻す時間も準使用時間として管理対象とすることにより、印刷品質に対してより正確な管理を行うことができる。
【０１４３】
また、上記実施形態では特に触れなかったが、クリームはんだ印刷機１００に供給する供給クリームはんだは、印刷終了時刻を考慮した使用時間によってクリームはんだの区分を選択し、当該区分に属する供給クリームはんだを選択する方が好ましい。これは、印刷時間が長い場合は、印刷中にクリームはんだが劣化し、印刷品質に影響を与えるからである。
【０１４４】
また、図１に示すように保冷庫５００は１つしか設置しなかったが、クリームはんだの区分毎に保冷庫を設置することが好ましい。例えば、本実施形態では、区分１〜区分４の４つに区分したので、４つの保冷庫を設置することが好ましい。同じ区分に属するクリームはんだであれば、基板の印刷難易度に対する印刷品質の影響はほとんどないので、区分のみで供給クリームはんだを管理する場合は、作業者は単に該当区分の保冷庫から適当なクリームはんだを選択するだけでよい。また、保冷庫を区分毎に分けることにより、供給クリームはんだを識別容器ＩＤによって管理する場合でも作業者の作業ミスを軽減することができる。
【０１４５】
また、保冷庫に容器識別ＩＤに対応するアドレスを設けることが好ましい。これにより、作業者は、当該アドレスに基づいて供給クリームはんだの容器識別ＩＤを保冷庫から出庫することができ、供給クリームはんだを探す時間を短縮することができる。
【０１４６】
その他、各実施形態に対して当業者が思いつく各種変形を施して得られる形態や、本発明の趣旨を逸脱しない範囲で各実施形態における構成要素及び機能を任意に組み合わせることで実現される形態も本発明に含まれる。
【産業上の利用可能性】
【０１４７】
本発明に係るクリームはんだの管理供給システム及びクリームはんだの管理供給方法は、クリームはんだ印刷機に対してクリームはんだを供給するための管理及び供給方法として有用である。
【符号の説明】
【０１４８】
１  スクリーンマスク
２  クリームはんだ
３  スキージ
４  開口
５  電極
６  基板
７，７’  印刷パターン
１００  印刷機
１１０  印刷部
１２０，２２０，３１０  制御部
１２１  マスク識別ＩＤ読取部
１２２  選択容器識別ＩＤ取得部
１２３  供給容器識別ＩＤ取得部
１２４  使用履歴情報取得部
１２５  照合部
１３０，２３０，３３０  通信部
１４０  使用履歴情報記憶部
１５０，２６０，３２０  表示部
１６０  報知部
１７０，２４０，３４０  入力部
１８０，２５０，３５０  メモリ部
２００  情報処理装置
２１０  記憶部
２１１  クリームはんだ情報記憶部
２１２  区分テーブル記憶部
２１３  印刷難易度テーブル記憶部
２２１  容器識別ＩＤ取得部
２２２  クリームはんだ情報取得部
２２３  部品情報取得部
２２４  区分決定部
２２５  印刷難易度決定部
２２６  印刷難易度取得部
２２７  区分選択部
２２８  供給クリームはんだ選択部
３００  携帯端末装置
３１１  選択区分取得部
３１２  容器識別ＩＤ取得部
３１３  容器識別ＩＤ読取部
３１４  作業者識別ＩＤ読取部
４００，４０１，４０２，４０３，４０４  クリームはんだ容器
４１０  容器識別ＩＤ
５００  保冷庫
【図１】
2011151078.tif 000003
【図２】
2011151078.tif 000004
【図３】
2011151078.tif 000005
【図４】
2011151078.tif 000006
【図５】
2011151078.tif 000007
【図６】
2011151078.tif 000008
【図７】
2011151078.tif 000009
【図８】
2011151078.tif 000010
【図９】
2011151078.tif 000011
【図１０】
2011151078.tif 000012
【図１１】
2011151078.tif 000013
【図１２Ａ】
2011151078.tif 000014
【図１２Ｂ】
2011151078.tif 000015
【図１２Ｃ】
2011151078.tif 000016
【図１２Ｄ】
2011151078.tif 000017
【図１３Ａ】
2011151078.tif 000018
【図１３Ｂ】
2011151078.tif 000019
【図１３Ｃ】
2011151078.tif 000020
【図１３Ｄ】
2011151078.tif 000021